(57)【要約】【課題】 本発明は、紙幣識別装置と、遊技媒体貸出装置と、紙幣搬送装置との各々の動作を集中して制御する集中制御部を中継装置に設けることにより、各装置のコストを削減できる中継装置の提供を課題とする。【解決手段】  遊技島に設けられたメダル貸出装置と紙幣識別装置と紙幣搬送装置とは別体に設けた中継装置を、メダル貸出装置、紙幣識別装置、紙幣搬送装置と島管理装置との間の通信ラインに介在させ、各装置と島管理装置とを中継装置を介した通信ラインで接続し、中継装置の集中制御部で各装置の動作制御を行えるように成した。【選択図】      図１
2005102894.tif 000002
【特許請求の範囲】
【請求項１】
投入された貨幣類の真偽識別を行う貨幣類識別装置と、
前記貨幣類識別装置の識別信号に基づいて遊技媒体を払い出す遊技媒体貸出装置と、
前記貨幣類識別装置から排出された貨幣類を所定の場所に搬送する貨幣類搬送装置と、
前記貨幣類識別装置と前記遊技媒体貸出装置と前記貨幣類搬送装置の各々と通信可能に接続され、前記各装置の動作状況を管理する島管理装置と通信接続されるともに各種通信信号を記憶可能なメモリを備えた中継装置と、からなる遊技設備において、
前記中継装置は、前記貨幣類識別装置と前記遊技媒体貸出装置と前記貨幣類搬送装置とは別体で構成され、前記貨幣類識別装置と前記遊技媒体貸出装置の各々の動作制御を行う集中制御部を備えたことを特徴とする遊技設備の中継装置。
【請求項２】
請求項１記載の遊技設備の中継装置であって、
前記中継装置の集中制御部は、貨幣類搬送装置の動作制御を行うことを特徴とする遊技設備の中継装置。
【発明の詳細な説明】
【技術分野】
【０００１】
本発明は、例えば、パチンコ遊技店の遊技設備としての遊技島に設置された遊技媒体貸出装置と遊技媒体貸出装置から排出された貨幣類を搬送する貨幣類搬送装置と島管理装置との間の通信を中継するための遊技設備の中継装置に関するものである。
【背景技術】
【０００２】
パチンコ遊技店においては、パチンコ台やスロットマシン等の遊技台を横方向に直線的に配列し、遊技台の一台毎に遊技者に遊技媒体を供給する遊技媒体貸出装置が連接されていて、遊技媒体貸出装置には貨幣類（紙幣、硬貨、磁気カードやＩＣカード等の記憶媒体）が投入可能であり、投入された貨幣類を搬送する貨幣類搬送装置（以下、紙幣搬送装置について記す）によって搬送された貨幣を収納する貨幣類収納装置が設けられ、遊技島を構築している。更に、遊技媒体貸出装置や紙幣搬送装置からの売上やトラブル等の各種営業情報を集中管理する島管理装置が遊技島の一端に設けられ、各遊技媒体貸出装置と紙幣搬送装置は島管理装置と中継装置を介して通信ラインで接続されている。
【０００３】
【特許文献１】特開平０６−０２３１４１号公報
【０００４】
上記特許文献１により、中継装置は、遊技媒体貸出装置の制御部と島システム管理機（以下、島管理装置と示す）内の制御部との間を通信ラインで接続し、遊技媒体貸出装置の各種営業情報を島管理装置で集中管理できるように成している。また、各中継装置により接続された遊技媒体貸出装置の個別認識ができるので、各遊技媒体貸出装置の営業情報を適時に島管理装置に送信し、それぞれの詳細な営業情報を島管理装置で把握することができる。また、営業中に遊技媒体貸出装置でトラブルが発生しても島管理装置や島管理装置と接続されたホールコンピュータ等の外部管理装置からもトラブル発生箇所を容易に把握することが可能な技術が開示されている。
【発明の開示】
【発明が解決しようとする課題】
【０００５】
しかしながら、昨今では遊技島の様々な構成により遊技島に設置されている遊技媒体貸出装置に使用される紙幣識別装置が遊技媒体貸出装置の本体部と別体に設けられたり、また、紙幣識別装置と紙幣搬送装置が一体に設けられたり等、遊技島の構成に対する遊技店管理者からの要望が多種多様になってきている。このような要望に対処すべく遊技島構成の自由度をあげると遊技島に設置される遊技媒体貸出装置と紙幣識別装置と紙幣搬送装置とを別体に設ける必要が出てくる。前記各装置を別体に設けると各々に制御部を備える必要があり、遊技島構成に大幅なコストがかかってしまっていた。
【０００６】
本発明は、以上の点に鑑み、遊技島に設置された遊技媒体貸出装置と貨幣類識別装置と別体に設けられ、遊技媒体貸出装置と貨幣類識別装置と貨幣類搬送装置とを制御することが可能な集中制御部を備えた遊技島の中継装置を提供することを目的とする。
【課題を解決するための手段】
【０００７】
本発明の請求項１の構成によれば、投入された貨幣類の真偽識別を行う貨幣類識別装置と、前記貨幣類識別装置の識別信号に基づいて遊技媒体を払い出す遊技媒体貸出装置と、前記貨幣類識別装置から排出された貨幣類を所定の場所に搬送する貨幣類搬送装置と、前記貨幣類識別装置と前記遊技媒体貸出装置と前記貨幣類搬送装置の各々と通信可能に接続され、前記各装置の動作状況を管理する島管理装置と通信接続されるともに各種通信信号を記憶可能なメモリを備えた中継装置と、からなる遊技設備において、前記中継装置は、前記貨幣類識別装置と前記遊技媒体貸出装置と前記貨幣類搬送装置とは別体で構成され、前記貨幣類識別装置と前記遊技媒体貸出装置の各々の動作制御を行う集中制御部を備えたことによって達成される。
【０００８】
本発明の請求項２の構成によれば、前記遊技設備の中継装置であって、前記中継装置は、前記貨幣類識別装置と前記遊技媒体貸出装置と前記貨幣類搬送装置とは別体で構成され、前記貨幣類識別装置と前記遊技媒体貸出装置や貨幣類搬送装置の各々の動作制御を行う集中制御部を備えたことよって達成される。
【発明の効果】
【０００９】
本発明の請求項１によれば、貨幣類貸出装置、貨幣類貸出装置と別体に設けられた貨幣類識別装置の各々に制御部を設ける必要がなく、中継装置で各々の動作を集中制御することが可能になるので、各々の内部構成を簡素化することができ、製品単価を下げることが可能になり、各装置を小型化することも可能になる。
【００１０】
本発明の請求項２によれば、貨幣類貸出装置、貨幣類貸出装置と別体に設けられた貨幣類識別装置や貨幣類搬送装置の各々に制御部を設ける必要がなく、中継装置で各々の動作を集中制御することが可能になるので、各々の内部構成を簡素化することができ、製品単価を下げることが可能になり、各装置を小型化することも可能になる。
【発明を実施するための最良の形態】
【００１１】
以下、各図を参照し、本発明の実施の形態として、パチンコ遊技店等で利用されている遊技媒体貸出装置１０（以下、メダル貸出装置１０の例で説明する。）、貨幣類識別装置２０（以下、紙幣識別装置２０の例で説明する。）貨幣類搬送装置３０（以下、紙幣搬送装置３０と示す。）、島管理装置４０と中継装置５０が設置された遊技島１の構成について説明する。  図１は遊技島１の概略構成図である。  遊技島1には、複数の遊技台２が背合わせで横方向に連設され、メダル貸出装置１０が遊技台２と遊技台２との間に挟持設置されている。遊技者によって投入された貨幣類（以下、紙幣３の場合について説明する。）を挟持搬送する紙幣搬送装置３０が紙幣識別装置２０の背面側に連設され、遊技島１の端に設けられた島管理装置４０に接続されている。メダル貸出装置１０は、島管理装置４０と中継装置５０を介して通信ライン４で接続されていて、メダル貸出装置１０の動作状況を各種営業情報信号（売上データやトラブルコード等）により中継装置５０を介して島管理装置４０まで送信している。そして、１台のメダル貸出装置１０に対して１台の中継装置５０が接続され、メダル貸出装置１０は中継装置５０での設定により個別認識されるので、島管理装置４０で遊技島１に設けられた全てのメダル貸出装置１０の集中管理が行えるように成している。紙幣識別装置２０も紙幣搬送装置３０も中継装置５０を介して島管理装置４０と通信ライン４で接続され、動作状況を送信可能に成している。また、島管理装置４０には紙幣搬送装置３０により搬送されてきた紙幣３を収納する紙幣収納装置４１が設けられている。中継装置５０は取付ステー５１により遊技島１内部に取り付けられている。尚、メダル貸出装置１０には、紙幣識別装置２０が内蔵されたタイプと、紙幣識別装置２０が遊技媒体貸出装置１０と別体で設けられたタイプがあるが、以下の説明では、紙幣識別装置２０が別体に設けられたメダル貸出装置１０を設置した遊技島１について説明する。
【００１２】
紙幣識別装置２０には、遊技者が投入する紙幣３を受け入れる長方形状に開口した投入口２１が正面側に設けられ、投入された紙幣３の透過率センサ、磁気センサや紙幣識別装置２０の投入口２１での紙幣３の有無等を検知する投入検知センサ（図示せず）を内蔵して成し、各種センサは読み取った紙幣３の各々のデータを中継装置５０の集中制御部６０に送信可能に中継装置５０の集中制御部６０と通信ライン４で接続されている。
【００１３】
メダル貸出装置１０は、矩形状の縦長の箱型を成し、内部には遊技媒体を収納したタンクを備えた遊技媒体払出装置１１が設けられ、遊技媒体払出装置１１は、中継装置５０の集中制御部６０と通信ライン４で接続されていて、紙幣識別装置１０に投入された紙幣３の価値に相当する遊技媒体数を中継装置５０の集中制御部６０からの信号を受信することにより動作し、メダル貸出装置１０の正面に設けられた受皿１２内部に遊技媒体を供給するように成している。
【００１４】
紙幣搬送装置３０は、紙幣識別装置２０の背面側に連設されていて矩形状の内部に紙幣３をローラやベルト材等により挟持搬送するように構成され、紙幣識別装置２０において投入された紙幣３が真券と判断されたのちに紙幣識別装置２０の背面側より排出されてくる紙幣３を挟持したまま遊技島１の端に設置された島管理装置４０内の紙幣収納装置４１まで搬送するように成している。また、紙幣搬送装置３０内には紙幣の通過を検知する通過検知センサ（図示せず）が設けられている。また、紙幣識別装置２０への紙幣３の投入を投入検知センサ（図示せず）が検知してから駆動するようにして、紙幣搬送装置３０を常時駆動するように設けなくても良く、この限りではない。紙幣搬送装置３０の駆動方式の設定は、中継装置５０の集中制御部６０の設定変更部６１により行うことが可能に成している。
【００１５】
島管理装置４０は、遊技島１の一端側に設けられ、紙幣搬送装置３０により搬送されてくる紙幣３を収納可能な紙幣収納部４１を内部に備え、遊技島１内を搬送されてくる紙幣３の状態やトラブルが発生した箇所等を島管理装置４０の外部から把握可能な外部表示部４３が扉に設けられている。また、島管理装置４０は、遊技島１に設置された各装置の動作状況や売上データを中継装置５０から送信される信号で集中的に把握するための島内管理制御部４２を備え、遊技島１内に設けられた複数台の中継装置５０の集中制御部６０と通信ライン４で接続されている。また、島内管理装置４０は、遊技店の店内もしくは周辺設備内に設置されたホールコンピュータ（図示せず）と接続されていて、ホールコンピュータでは、遊技店内に設置された各遊技島の各種データを一括して、集計及び管理を行えるように成している。
【００１６】
次に、本発明の実施の形態の中継装置５０の構成について説明を行う。
図２は、実施の形態を示す中継装置５０の内部概要説明図である。
図３は、遊技島１における通信接続の模試図である。
中継装置５０は、矩形の箱型形状を成し、内部に集中制御部６０が設けられ、メダル貸出装置１０、紙幣識別装置２０、紙幣搬送装置３０と島管理装置４０との通信を仲介するように通信ライン４で接続されていて、遊技島１内に複数台が設置されている。そして、各中継装置５０は相互通信が可能に通信ライン４で接続され、島管理装置４０と全ての中継装置５０は通信ライン４で接続された状態を成している。中継装置５０に設けられた集中制御部６０は、ＤＩＰスイッチ等からなる設定変更部６１、メダル貸出装置１０との通信接続用のコネクタ６２、紙幣識別装置２０との通信接続用コネクタ６３、紙幣搬送装置３０との通信接続用コネクタ６４、島管理装置４０の島内管理制御部４２または他の中継装置５０との通信接続用コネクタ６５、電源コネクタ６６そして予備通信コネクタ６７が設けられている。設定変更部６１により接続された各装置を個別識別可能に設定できるように成しているので、遊技島１の端に設けられた島管理装置４０で遊技島１に設けられた各装置の動作状況を把握することが可能に成している。このことにより、遊技島１内に設置された各装置でトラブルや不正が発生しても、どこの装置で発生しているのかを簡単に把握することが可能になる。
【００１７】
また、集中制御部６０はＣＰＵを備えていて、接続された遊技媒体貸出装置１０、紙幣識別装置２０と紙幣搬送装置３０のそれぞれの動作制御を行うように成している。各装置から送信されてくる各種データ（紙幣識別装置２０での受入紙幣３の透過率、磁気データや枚数、紙幣識別装置２０内部でのトラブル、紙幣識別装置２０外部からの不正行為等や紙幣搬送装置３０内の紙幣の有無判断による紙幣詰まりや遊技媒体払出装置１１における遊技媒体の払出枚数等）を記憶可能なメモリを備えているので、島管理装置４０との通信が途絶えてしまうような場合にも各装置の動作状況やトラブル等のデータを記憶している。例えば、紙幣搬送装置３０の通過検知センサが設定時間以上遮られていた状態の時に、紙幣詰まりのトラブルとして中継装置５０の集中制御部６０が判断し、トラブル信号を島管理装置４０の島内管理制御部４２へ送信するように成している。また、紙幣搬送装置３０が常時駆動しているタイプの場合には、中継装置５０は紙幣搬送装置３０の動作制御を行わないで紙幣搬送装置３０の島管理装置４０との通信を仲介するだけとしても良い。
【００１８】
また、集中制御部６０の設定変更部６１の操作により、予め記憶されたプログラムを紙幣搬送装置３０の搬送速度・搬送方向の設定や紙幣識別装置２０の紙幣識別可能金種（新紙幣対応）等への設定変更が可能になっている。尚、各装置との接続に使用される通信ライン４は、シリアルラインであってもパラレルラインであっても良く、結束された配線でまとめられていれば良い。更に、メダル貸出装置１０にコインセレクタが設けられている場合には、集中制御部６０に設けられた予備通信コネクタ６７とコインセレクタの出力端子を接続することで、投入された硬貨の価値に相当する遊技媒体を払い出すように動作制御を可能と成してもこの限りではない。更に、遊技台２または遊技台２周辺に遊技情報等を遊技者に表示する表示装置が設置されている場合には、予備コネクタ６７を使用して表示装置との通信接続することを可能に成しても良い。
【００１９】
続いて、各装置の動作状況を遊技者の投入する紙幣３の流れ（紙幣３の投入から島管理装置４０の紙幣収納装置４１への収納まで）にそって説明する。
メダル貸出装置１０は、別体に設けられた紙幣識別装置２０の投入口２１内に遊技者から投入された紙幣３を投入口２１の近傍に設けられた投入検知センサ（図示せず）により検知して、中継装置５０の集中制御部６０へ信号を送信し、その信号を受信した集中制御部６０は紙幣３の取り込み動作を始動させる命令を紙幣識別装置２０に送信し、紙幣識別装置２０に設けられた駆動モータ（図示せず）が投入された紙幣３を取り込むように正転動作する。投入された紙幣３は、紙幣識別装置２０内に設けられた透過センサや磁気センサ等により読み取られ、紙幣識別装置２０は、識別データ（透過計測、磁気計測データ）を中継装置５０に送信し、その識別データを受信した中継装置５０の集中制御部６０は予め記憶された各種紙幣データと紙幣識別装置２０から送信された読み取りデータとを比較することにより投入された紙幣３の真偽識別および金種判別を行い、投入された紙幣３が真券の場合には、投入された紙幣３の価値に相当する遊技媒体（例えば、パチンコ玉やメダル等）を供給するように、メダル貸出装置１０内部に備えられた遊技媒体払出装置１１を動作させ、遊技者に対して遊技媒体を供給するように成している。尚、遊技媒体払出装置１１が遊技台２内に設けられているような場合には、遊技媒体払出装置１１を動作させて遊技者に遊技媒体を供給するように、遊技台２内に設けられた遊技媒体払出装置１１の通信コネクタと予備コネクタ６７との接続もしくはメダル貸機１０の通信コネクタ６２との接続により、中継装置５０により動作制御が可能に成しても良い。
【００２０】
また、集中制御部６０により紙幣識別装置２０に投入された紙幣３が真券と判断されると紙幣３の金種に相当する価値分を中継装置５０の集中制御部６０から売上データとして、島管理装置４０の島内管理制御部４２に送信される。尚、投入された紙幣３が偽券と判断された時に集中制御部６０は、投入された紙幣３を遊技者へ返却するように逆転動作を行う信号を紙幣識別装置２０へ送信し、駆動モータが逆転することで投入された紙幣３を遊技者へ返却するように成している。更に投入された紙幣３が真券と判断されると売上データとして、島管理装置４０の島内管理制御部４２へ送信するように成している。
【００２１】
紙幣識別装置２０で真券と判断された紙幣３は、紙幣識別装置２０の背面側に連設された紙幣搬送装置３０内へ排出され、排出された紙幣３は紙幣搬送装置３０内を挟持されたまま、遊技島１の端に設けられた島管理装置４０内の紙幣収納装置４１まで搬送され、紙幣収納装置４１内に積層収納される。紙幣搬送装置３０内には適宜間隔毎に紙幣搬送装置３０内の紙幣３の有無を判断する通過検知センサが設けられていて、紙幣搬送装置３０の上流端側から島管理装置４０の接続された下流端側の島管理装置４０までの紙幣搬送装置３０内を搬送される紙幣３の有無を判断することにより、遊技島内を搬送される紙幣３の位置を島管理装置４０の外部表示部４３により把握できるようになっている。また、紙幣識別装置２０の投入検知センサや紙幣搬送装置３０の通過検知センサにおける各センサの状態変化を常時、中継装置５０の集中制御部６０で読み取って、島管理装置４０の島内管理制御部４２へデータとして送信し、そのデータは島管理装置４０の外部表示部４３やトラブルランプ４４に表示されるように成している。
【００２２】
ここでの説明では、１台の遊技台２に対して、１台の中継装置５０を設置した場合について説明したが、遊技島１のように遊技台２が背面合わせで遊技島１を構成している場合においては、背面側に設けられた各装置と正面側に設けられた各装置とで中継装置５０を共有させるように設けても良く、１台の中継装置に複数台の装置（メダル貸出装置１０、紙幣識別装置２０や紙幣搬送装置３０等）を接続可能に設けても良い。その場合には中継装置５０の集中制御部６０に設けられた設定変更部６１の設定により可能になる。
また、ここまでの説明においては、遊技者から投入される貨幣類を紙幣３の場合について説明を行ったが、遊技者が投入する貨幣類が磁気カードやＩＣカード等のような記憶媒体であっても良く、中継装置５０に接続される装置としては紙幣識別装置２０ではなく、カードリーダライタ等が接続されて同様に制御可能と成しても良い。
【００２３】
以上の説明から本発明により、遊技島１内に設置されたメダル貸出装置１０、紙幣識別装置２０、紙幣搬送装置３０を中継装置５０の集中制御部６０だけで各々の動作制御を可能としたので、各装置内構成の簡素化することができ各装置の小型化が可能となる。更に各装置に制御部を設ける必要がないので、製品コストを削減することが可能になる。
【図面の簡単な説明】
【００２４】
【図１】遊技島１の概略構成図である。
【図２】実施の形態を示す中継装置５０の内部概要説明図である。
【図３】遊技島１における通信接続の模試図である。
【符号の説明】
【００２５】
１      遊技島
２      遊技台
３      紙幣
４      通信ライン
１０    メダル貸出装置
２０    紙幣識別装置
３０    紙幣搬送装置
４０    島管理装置
５０    中継装置
６０    集中制御部
【図１】
2005102894.tif 000003
【図２】
2005102894.tif 000004
【図３】
2005102894.tif 000005